(57)【要約】【課題】表示画面の複数の領域をそれぞれスクロールしたり、スクロールのモード切替ボタンを表示する必要もなく、複数の領域の表示を操作性良く変更できる情報処理装置等を提供する。【解決手段】表示手段１０５の画面上の第１の領域３０１と第２の領域３０２のうち、第１の領域３０１における第１の接触位置においてマルチタッチパネル１０６との接触が検出されたときは、第１の領域３０１では表示画像が固定される。一方、第２の領域３０２ではユーザーがスクロール操作を行うと、表示画像がスクロールされる。第１の接触位置においてタッチパネルに加えられた圧力は圧力センサー１０７で検知されるとともに、検知された圧力が予め設定された閾値を超えると第１の領域３０１の表示が第２の領域３０２の表示とは独立して変更する。【選択図】図２
2018206119.tif 000002
【特許請求の範囲】
【請求項１】
表示対象データを第１の領域と第２の領域を含む複数の領域に表示可能な表示手段と、
前記表示手段の画面上に備えられ、複数箇所での接触を検出可能なマルチタッチパネルと、
前記タッチパネルに加えられた圧力を検出する圧力センサーと、
前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロール可能とする表示制御手段と、
前記第１の接触位置においてタッチパネルに加えられ前記圧力センサーで検知された圧力が、予め設定された第１の閾値を超えたかどうかを判定する圧力判定手段と、
を備え、
前記圧力判定手段により、前記第１の接触位置においてタッチパネルに加えられた圧力が、予め設定された閾値を超えたと判定された場合、前記表示制御手段は、前記第１の領域の表示を前記第２の領域の表示とは独立して変更することを特徴とする情報処理装置。
【請求項２】
前記圧力判定手段により、前記第１の接触位置において前記マルチタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御手段は、前記第１の領域の変更後の表示を変更方向とは逆方向に変更する請求項１に記載の情報処理装置。
【請求項３】
前記圧力判定手段は、前記第１の接触位置において前記マルチタッチパネルに加えられ前記圧力センサーで検知された圧力が、予め設定された第１の閾値を超えたかどうかを、圧力の平均値に基づいて判定する請求項１または２に記載の情報処理装置。
【請求項４】
前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を可能とする印刷設定手段をさらに備えている請求項１〜３のいずれれかに記載の情報処理装置。
【請求項５】
前記印刷設定手段により後加工処理を行う印刷設定がなされた場合、前記表示制御手段は、該当するページの後加工処理位置に、後加工処理が実施されることを示すマークを表示する請求項４に記載の情報処理装置。
【請求項６】
表示対象データを第１の領域と第２の領域を含む複数の領域に表示可能な表示手段と、前記表示手段の画面上に備えられ、複数箇所での接触を検出可能なマルチタッチパネルと、前記タッチパネルに加えられた圧力を検出する圧力センサーと、を備えた情報処理装置が、
前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロールとする表示制御ステップと、
前記第１の接触位置においてタッチパネルに加えられ前記圧力センサーで検知された圧力が、予め設定された第１の閾値を超えたかどうかを判定する圧力判定ステップと、
を実行し、
前記圧力判定ステップにより、前記第１の接触位置においてタッチパネルに加えられた圧力が、予め設定された閾値を超えたと判定された場合、前記表示制御ステップでは、前記第１の領域の表示を前記第２の領域の表示とは独立して変更することを特徴とする表示制御方法。
【請求項７】
前記圧力判定ステップにより、前記第１の接触位置においてタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御ステップでは、前記第１の領域の変更後の表示を変更方向とは逆方向に変更する請求項６に記載の表示制御方法。
【請求項８】
前記圧力判定ステップでは、前記第１の接触位置においてタッチパネルに加えられ前記圧力センサーで検知された圧力が、予め設定された第１の閾値を超えたかどうかを、圧力の平均値に基づいて判定する請求項６または７に記載の表示制御方法。
【請求項９】
前記情報処理装置は、前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を可能とする印刷設定ステップをさらに実行する請求項６〜８のいずれれかに記載の表示制御方法。
【請求項１０】
前記印刷設定ステップにより後加工処理を行う印刷設定がなされた場合、前記表示制御ステップでは、該当するページの後加工処理位置に、後加工処理が実施されることを示すマークを表示する請求項９に記載の表示制御方法。
【請求項１１】
表示対象データを第１の領域と第２の領域を含む複数の領域に表示可能な表示手段と、前記表示手段の画面上に備えられ、複数箇所での接触を検出可能なマルチタッチパネルと、前記タッチパネルに加えられた圧力を検出する圧力センサーと、を備えた情報処理装置のプロセッサに、
前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロールとする表示制御ステップと、
前記第１の接触位置においてタッチパネルに加えられ前記圧力センサーで検知された圧力が、予め設定された第１の閾値を超えたかどうかを判定する圧力判定ステップと、
を実行させ、
前記圧力判定ステップにより、前記第１の接触位置においてタッチパネルに加えられた圧力が、予め設定された閾値を超えたと判定された場合、前記表示制御ステップでは、前記第１の領域の表示を前記第２の領域の表示とは独立して変更する処理をさらに実行させるための表示制御プログラム。
【請求項１２】
前記圧力判定ステップにより、前記第１の接触位置においてタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御ステップでは、前記第１の領域の変更後の表示を変更方向とは逆方向に変更する処理を、前記プロセッサにさらに実行させる請求項１１に記載の表示制御プログラム。
【請求項１３】
前記圧力判定ステップでは、前記第１の接触位置においてタッチパネルに加えられ前記圧力センサーで検知された圧力が、予め設定された第１の閾値を超えたかどうかを、圧力の平均値に基づいて判定する処理を、前記プロセッサにさらに実行させる請求項１１または１２に記載の表示制御プログラム。
【請求項１４】
前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を実施する印刷設定ステップを、前記プロセッサにさらに実行させる請求項１１〜１３のいずれかに記載の表示制御プログラム。
【請求項１５】
前記印刷設定ステップにより後加工処理を行う印刷設定がなされた場合、前記表示制御ステップでは、該当するページの後加工処理位置に、後加工処理が実施されることを示すマークを表示する処理を、前記プロセッサにさらに実行させる請求項１１〜１４のいずれかに記載の表示制御プログラム。
【発明の詳細な説明】
【技術分野】
【０００１】
この発明は、スマートフォン、タブレット端末、画像形成装置、ノート型コンピュータ等の情報処理装置、同装置で実行される表示制御方法及び表示制御プログラムに関する。
【背景技術】
【０００２】
スマートフォンやタブレット端末等の情報処理装置では、マウス操作ではなく指でタッチ操作する機種が一般的である。また、画像形成装置やノート型パソコンのような情報処理装置でも、タッチパネル対応型の操作パネルを搭載した機種が登場している。
【０００３】
このようなタッチ操作可能な情報処理装置は、画面を指で直観的に操作できるという特徴を有し、操作性の良さがユーザーから支持されている。
【０００４】
一方、上記のような情報処理装置において、表示領域を複数に増やす機能が搭載されているものがある。表示領域を複数とすることにより、一つのファイルを複数領域に分割したり、複数のファイルを並べて表示することが可能となる。
【０００５】
例えば、特許文献１には、複数画面の表示モードにおいて、画面の一部の領域を固定しつつ、背景領域をスクロール操作等により移動する技術が提案されている。
【０００６】
また他の技術として、画面の左領域と右領域を、それぞれ独立してスクロールする技術がある（以下、独立モードと呼ぶ）。
【０００７】
さらに他の技術として、スクロールのモードを、独立モードと共通モードに切替える方式もある。この場合、共通モードでは左領域と右領域が一体となって画面スクロールが可能となる。
【先行技術文献】
【特許文献】
【０００８】
【特許文献１】特開２０１２−２３４５６９号公報
【発明の概要】
【発明が解決しようとする課題】
【０００９】
しかし、特許文献１に記載の技術では、背景(第２領域)をスクロールさせつつ、同時に、固定領域(第１領域)も変更・選択したい場合には対応できないという課題がある。
【００１０】
また、独立モードにおいて画面の左領域と右領域をそれぞれスクロールする技術では、画面全体をスライドするには、左領域と右領域を両方をスライドしなければならず、操作が煩わしい、という課題がある。具体的には、左右両方の指を使用して画面全体をスクロールする等、スクロールページ数が多い時は両手がふさがる時間が長くなり、操作性が悪い。
【００１１】
また、スクロールのモードを独立モードと共通モードの間で切替える技術では、モード切替ボタンを設ける必要があるため、ボタンの切り替え作業が発生したり、表示画面が小さい装置ではボタン表示の為にファイル表示エリアが更に小さくなり、視認性が悪くなる。しかも、元々複数画面分割している為に、各文書の表示領域が小さくなっているにもかかわらず、更に余分な操作ボタンが表示されると、表示領域はさらに小さくなってしまうという課題もある。
【００１２】
この発明は、このような技術的背景に鑑みてなされたものであって、表示画面の複数の領域をそれぞれスクロールしたり、スクロールのモード切替ボタンを表示する必要もなく、複数の領域の表示を操作性良く変更できる情報処理装置、表示制御方法及び表示制御プログラムを提供することを課題とする。
【課題を解決するための手段】
【００１３】
上記課題は、以下の手段によって解決される。
（１）表示対象データを第１の領域と第２の領域を含む複数の領域に表示可能な表示手段と、前記表示手段の画面上に備えられ、複数箇所での接触を検出可能なマルチタッチパネルと、前記タッチパネルに加えられた圧力を検出する圧力センサーと、前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロール可能とする表示制御手段と、前記第１の接触位置においてタッチパネルに加えられ前記圧力センサーで検知された圧力が、予め設定された第１の閾値を超えたかどうかを判定する圧力判定手段と、を備え、前記圧力判定手段により、前記第１の接触位置においてタッチパネルに加えられた圧力が、予め設定された閾値を超えたと判定された場合、前記表示制御手段は、前記第１の領域の表示を前記第２の領域の表示とは独立して変更することを特徴とする情報処理装置。
（２）前記圧力判定手段により、前記第１の接触位置において前記マルチタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御手段は、前記第１の領域の変更後の表示を変更方向とは逆方向に変更する前項１に記載の情報処理装置。
（３）前記圧力判定手段は、前記第１の接触位置において前記マルチタッチパネルに加えられ前記圧力センサーで検知された圧力が、予め設定された第１の閾値を超えたかどうかを、圧力の平均値に基づいて判定する前項１または２に記載の情報処理装置。
（４）前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を可能とする印刷設定手段をさらに備えている前項１〜３のいずれれかに記載の情報処理装置。
（５）前記印刷設定手段により後加工処理を行う印刷設定がなされた場合、前記表示制御手段は、該当するページの後加工処理位置に、後加工処理が実施されることを示すマークを表示する前項４に記載の情報処理装置。
（６）表示対象データを第１の領域と第２の領域を含む複数の領域に表示可能な表示手段と、前記表示手段の画面上に備えられ、複数箇所での接触を検出可能なマルチタッチパネルと、前記タッチパネルに加えられた圧力を検出する圧力センサーと、を備えた情報処理装置が、前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロールとする表示制御ステップと、前記第１の接触位置においてタッチパネルに加えられ前記圧力センサーで検知された圧力が、予め設定された第１の閾値を超えたかどうかを判定する圧力判定ステップと、を実行し、前記圧力判定ステップにより、前記第１の接触位置においてタッチパネルに加えられた圧力が、予め設定された閾値を超えたと判定された場合、前記表示制御ステップでは、前記第１の領域の表示を前記第２の領域の表示とは独立して変更することを特徴とする表示制御方法。
（７）前記圧力判定ステップにより、前記第１の接触位置においてタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御ステップでは、前記第１の領域の変更後の表示を変更方向とは逆方向に変更する前項６に記載の表示制御方法。
（８）前記圧力判定ステップでは、前記第１の接触位置においてタッチパネルに加えられ前記圧力センサーで検知された圧力が、予め設定された第１の閾値を超えたかどうかを、圧力の平均値に基づいて判定する前項６または７に記載の表示制御方法。
（９）前記情報処理装置は、前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を可能とする印刷設定ステップをさらに実行する前項６〜８のいずれれかに記載の表示制御方法。
（１０）前記印刷設定ステップにより後加工処理を行う印刷設定がなされた場合、前記表示制御ステップでは、該当するページの後加工処理位置に、後加工処理が実施されることを示すマークを表示する前項９に記載の表示制御方法。
（１１）表示対象データを第１の領域と第２の領域を含む複数の領域に表示可能な表示手段と、前記表示手段の画面上に備えられ、複数箇所での接触を検出可能なマルチタッチパネルと、前記タッチパネルに加えられた圧力を検出する圧力センサーと、を備えた情報処理装置のプロセッサに、前記表示手段の画面上の第１の領域と第２の領域のうち、前記第１の領域における第１の接触位置において前記マルチタッチパネルとの接触が検出されたときは、第１の領域では表示画像を固定する一方、前記第２の領域ではユーザーのスクロール操作に基づいて表示画像をスクロールとする表示制御ステップと、前記第１の接触位置においてタッチパネルに加えられ前記圧力センサーで検知された圧力が、予め設定された第１の閾値を超えたかどうかを判定する圧力判定ステップと、を実行させ、前記圧力判定ステップにより、前記第１の接触位置においてタッチパネルに加えられた圧力が、予め設定された閾値を超えたと判定された場合、前記表示制御ステップでは、前記第１の領域の表示を前記第２の領域の表示とは独立して変更する処理をさらに実行させるための表示制御プログラム。
（１２）前記圧力判定ステップにより、前記第１の接触位置においてタッチパネルに加えられた圧力が前記第１の閾値を超えたと判定されることにより、前記第１の領域の表示が変更された後、前記第１の領域において前記第１の接触位置とは異なる第２の接触位置において前記マルチタッチパネルとの接触が検出された場合、前記表示制御ステップでは、前記第１の領域の変更後の表示を変更方向とは逆方向に変更する処理を、前記プロセッサにさらに実行させる前項１１に記載の表示制御プログラム。
（１３）前記圧力判定ステップでは、前記第１の接触位置においてタッチパネルに加えられ前記圧力センサーで検知された圧力が、予め設定された第１の閾値を超えたかどうかを、圧力の平均値に基づいて判定する処理を、前記プロセッサにさらに実行させる前項１１または１２に記載の表示制御プログラム。
（１４）前記第１の領域及び第２の領域に印刷プレビュー画像が表示されている状態で、前記第１の領域の前記第１の接触位置での接触が検出され、かつ、この状態で、第１の領域の表示画像の後加工処理を可能な位置に、前記マルチタッチパネルとの接触が検出されたときは、後からの接触位置に対して後加工処理を実施する印刷設定を実施する印刷設定ステップを、前記プロセッサにさらに実行させる前項１１〜１３のいずれかに記載の表示制御プログラム。
（１５）前記印刷設定ステップにより後加工処理を行う印刷設定がなされた場合、前記表示制御ステップでは、該当するページの後加工処理位置に、後加工処理が実施されることを示すマークを表示する処理を、前記プロセッサにさらに実行させる前項１１〜１４のいずれかに記載の表示制御プログラム。
【発明の効果】
【００１４】
前項（１）及び（６）に記載の発明によれば、表示手段の画面上の第１の領域と第２の領域のうち、第１の領域における第１の接触位置においてマルチタッチパネルとの接触が検出されたときは、第１の領域では表示画像が固定される。一方、第２の領域ではユーザーがスクロール操作を行うと、表示画像がスクロールされる。第１の接触位置においてタッチパネルに加えられた圧力は圧力センサーで検知されるとともに、検知された圧力が予め設定された閾値を超えると第１の領域の表示が第２の領域の表示とは独立して変更する。
【００１５】
つまり、ユーザーが画面上の第１の領域に指等を接触すると、第１の領域の表示は固定され、この状態で第２の領域をスクロール操作すると、第２の領域の表示がスクロールされる。さらに、第１の領域において接触させた指等を閾値を超える圧力で加圧すると、第１の領域の画像が第２の領域の画像とは独立して変化する。
【００１６】
このように、ユーザーは第１の領域をスクロール操作しなくても、接触位置を加圧するだけの操作で第１の領域の表示を変更できるから、ユーザーは第１の領域と第２の領域の両方の表示をスクロール操作しなくても簡単な操作で変更することができ、操作性に優れ使い勝手がよくなる。
【００１７】
前項（２）及び（７）に記載の発明によれば、第１の接触位置においてマルチタッチパネルに加えられた圧力が閾値を超えたと判定されることにより、第１の領域の表示が変更された後、第１の領域において第１の接触位置とは異なる第２の接触位置においてユーザーがマルチタッチパネルに接触すると、第１の領域の変更後の表示が変更方向とは逆方向に変更されるから、第１の領域においてスクロール操作しなくても、変更前あるいは変更途中の画像に戻すことができ、便利である。
【００１８】
前項（３）及び（８）に記載の発明によれば、第１の接触位置においてマルチタッチパネルに加えられ圧力センサーで検知された圧力が、予め設定された閾値を超えたかどうかは、圧力の平均値に基づいて判定されるから、精度の高い判定を行うことができる。
【００１９】
前項（４）及び（９）に記載の発明によれば、ユーザーは、第１の領域を第１の接触位置において接触した状態で、第１の領域における後加工処理を可能な位置を指等で接触することにより、後からの接触位置に対して後加工処理を実施する印刷設定を行うことができる。
【００２０】
前項（５）及び（１０）に記載の発明によれば、後加工処理を行う印刷設定がなされた場合、該当するページの後加工処理位置に、後加工処理が実施されることを示すマークが表示されるから、ユーザーはマークの位置に後加工処理が実施されることを認識することができる。
【００２１】
前項（１１）に記載の発明によれば、ユーザーが画面上の第１の領域に指等を接触すると、第１の領域の表示を固定し、この状態でユーザーが第２の領域をスクロール操作すると、第２の領域の表示をスクロールし、第１の領域において接触させた指等を第１の閾値を超える圧力で加圧すると、第１の領域の画像を変更する処理を、情報処理装置のプロセッサに実行させることができる。
【００２２】
前項（１２）に記載の発明によれば、第１の接触位置においてタッチパネルに加えられた圧力を第１の閾値を超えたと判定することにより、第１の領域の表示を変更した後、第１の領域において第１の接触位置とは異なる第２の接触位置においてユーザーがマルチタッチパネルに接触すると、第１の領域の変更後の表示を変更方向とは逆方向に変更する処理を、情報処理装置のプロセッサに実行させることができる。
【００２３】
前項（１３）に記載の発明によれば、第１の接触位置においてタッチパネルに加えられ圧力センサーで検知された圧力が、予め設定された第１の閾値を超えたかどうかを、圧力の平均値に基づいて判定する処理を、情報処理装置のプロセッサに実行させることができる。
【００２４】
前項（１４）に記載の発明によれば、第１の領域を第１の接触位置において接触した状態で、第１のページにおける後加工処理を可能な位置を指等で接触することにより、後からの接触位置に対して後加工処理を実施する印刷設定を行う印刷設定処理を、情報処理装置のプロセッサにさらに実行させることができる。
【００２５】
前項（１５）に記載の発明によれば、印刷設定ステップにより後加工処理を行う印刷設定がなされた場合、表示制御ステップでは、該当するページの後加工処理位置に、後加工処理が実施されることを示すマークを表示する処理を、情報処理装置のプロセッサにさらに実行させることができる。
【図面の簡単な説明】
【００２６】
【図１】この発明の一実施形態に係る情報処理装置の構成を示すブロック図である。
【図２】表示部に二つの文書ファイルである文書Ａと文書Ｂを分割して表示した画面を示す図である。
【図３】図２で説明したような表示制御を行う場合の情報処理装置の動作を説明するためのフローチャートである。
【図４】この発明の他の実施形態に係る表示制御処理を説明するための図である。
【図５】この発明のさらに他の実施形態に係る表示制御処理を説明するための図である。
【発明を実施するための形態】
【００２７】
以下、この発明の実施形態を図面に基づいて説明する。
【００２８】
図１は、この発明の一実施形態に係る情報処理装置の電気的な構成を示すブロック図である。この実施形態では、情報処理装置としてスマートフォン、タブレット端末等の携帯型の装置が用いられている。
【００２９】
図１に示すように、情報処理装置１は、情報処理装置１の全体を制御するプロセッサであるＣＰＵ１０１、ＣＰＵ１０１の制御プログラム等の格納されたＲＯＭ１０２、ＣＰＵ１０１が動作する際の作業領域となるＲＡＭ１０３を備え、ＲＯＭ１０２及びＲＡＭ１０３はそれぞれバスを介してＣＰＵ１０１に接続されている。また、ＣＰＵ１０１、ＲＯＭ１０２及びＲＡＭ１０３により制御部１００を形成している。
【００３０】
制御部１００には、各種の情報を表示する液晶等からなり、表示対象データを第１の領域３０１と第２の領域３０２を含む複数の領域に表示可能な表示部１０５、表示部１０５の画面上に配置され、画面を直接接触（タッチともいう）して操作入力を行うとともに、複数箇所でのタッチを検出可能なマルチタッチパネル１０６、圧力センサー１０７、ワイヤレスランインターフェース１０８、短距離無線インターフェース１０９が、バスを介してそれぞれ接続されている。
【００３１】
圧力センサー１０７は、ユーザーがマルチタッチパネル１０５を接触させた指等で加圧したときの圧力を検出する。ワイヤレスランインターフェース１０８は、ネットワークとの通信に利用され、短距離無線インターフェース１０９は例えばブルートゥース（登録商標）や赤外線通信等の短距離無線通信を行うためのインターフェースである。
【００３２】
さらに、制御部１００には固定記憶装置１０４がバスを介して接続されている。固定記憶装置１０４とは例えばハードディスク装置である。この固定記憶装置１０４には、各種のデータ、例えばアプリケーションプログラム、１個または複数個のファイル等が記憶されている。
【００３３】
制御部１００は、情報処理装置１の全体を統括的に制御するが、特にこの実施形態では、１個のファイルを複数領域に分割して、あるいは複数個のファイルを複数領域に分割して表示部１０５に表示する際の表示制御を行う。またこの実施形態では、情報処理装置１には、図示しない画像形成装置に印刷を指示するための印刷用のアプリケーションプログラムがインストールされており、複数の領域を有する印刷用のプレビュー画面が表示されたときの表示制御や印刷設定制御を行う。
【００３４】
次に、図１に示した情報処理装置１による表示制御処理について説明する。
【００３５】
図２は、表示部１０５に二つの文書ファイルである文書Ａと文書Ｂを分割して表示した画面を示す図であり、画面左部の第１の領域３０１に文書Ａの第１頁（ｐ．１）が、画面右部の第２の領域３０２に文書Ｂの第１頁（ｐ．１）が、それぞれ表示されている。なお、異なる文書ではなく一つの文書が分割して表示されても良い。
【００３６】
この状態で、ユーザーが画面上の任意の位置例えば画面右部の第２の領域３０２においてスクロール操作すると、第１の領域３０１及び第２の領域３０２に表示された画像は一括してスクロールされる。
【００３７】
次に、ユーザーが第１の領域３０１内の任意の位置、例えば図２（Ａ）の破線丸印で示す第１の接触位置Ｍ１において指を接触させると、マルチタッチパネル１０６により第１の領域３０１における接触が検出され、情報処理装置１の制御部１００は第１の領域３０１を固定領域に設定し、文書Ａの第１頁の表示が固定される。一方、ユーザーによる第１の領域３０１への接触が検出されると、制御部１００は、画面右部の第２の領域３０２をスクロール可能な領域に設定する。従って、ユーザーが第１の領域３０１との接触を保持しながら、第２の領域３０２を指で矢印Ｙ１の方向にスクロール操作すると、第２の領域３０２の文書Ｂの表示のみが、第１ページから第２ページ、第Ｎページへと、あるいは逆に第Ｎページから第２、第１ページへとへとスクロールされる。
【００３８】
この状態で、図２（Ｂ）に示すように、ユーザーが第１の領域３０１の第１の接触位置Ｍ１において接触させた指をマルチタッチパネル１０６に対して加圧すると、その圧力が圧力センサー１０７により検出される。
【００３９】
制御部１００は、圧力センサー１０７により検出された圧力が、予め設定された閾値を超えたかどうかを判定し、超えた場合は、第２の領域３０２における画像とは独立して、第１の領域３０１に表示された文書Ａの表示を第２頁の方向に設定された速度あるいは量で移動変更させる。表示の変更はスクロールと同様に連続的に移動しても良いし、１ページ単位で変更されても良い。加圧を持続すると表示の移動変更が連続して行われる。ユーザーが加圧を緩め圧力が閾値以下になると、表示の変更は停止する。再度閾値を超える加圧を行うと同一の方向に再度移動する。こうして、ユーザーが加圧を繰り返す毎に、第１の領域３０１に表示された文書Ａは第１頁から第２頁へ、更に第Ｎ頁へと移動していく。こうしてユーザーが望む頁まで移動させることができる。
【００４０】
一方、画面右部の第２の領域３０２についてはスクロール可能な領域に設定されたまま保持される。
【００４１】
なお、ユーザーによるマルチタッチパネル１０６への圧力の大きさによって、表示の移動変更速度や移動量を変えても良い。例えば、圧力が大きいほど移動速度を速くしたり移動量を大きくしても良い。
【００４２】
ユーザーが第１の領域３０１におけるマルチタッチパネル１０６への接触を解除すると、第１の領域３０１及び第２の領域３０２の画像が一括してスクロール表示される初期状態に戻る。
【００４３】
なお、ユーザーが第２の領域３０２においてマルチタッチパネル１０６に接触したときは、第２の領域３０２が固定領域に設定されて表示画像が固定され、閾値以上に加圧すると第２の領域３０２の表示が移動変更される。一方、第１の領域３０１はスクロール可能な領域に設定される。
【００４４】
このように、ユーザーが画面左部の第１の領域３０１に指等を接触すると、第１の領域３０１の表示は固定され、この状態で第２の領域３０２をスクロール操作すると、第２の領域３０２の表示がスクロールされる。さらに、第１の領域３０１において接触させた指等を閾値を超える圧力で加圧すると、第１の領域３０１の画像が第２の領域３０２の画像とは独立して変化する。従って、ユーザーは第１の領域３０１をスクロール操作しなくても、接触位置を加圧するだけの操作で第１の領域３０１の表示を変更できるから、ユーザーは第１の領域３０１と第２の領域３０２の両方の表示をスクロール操作しなくても簡単な操作で変更することができ、操作性に優れ使い勝手がよくなる。
【００４５】
なお、図２の例では画面の左右に分割する場合を示したが、上下に分割する場合も同様である。
【００４６】
図３は、図２で説明したような表示制御を行う場合の情報処理装置１の動作を説明するためのフローチャートである。このフローチャートに示される動作は、情報処理装置１の制御部１００のＣＰＵ１０１がＲＯＭ１０２あるいは固定記憶装置１０４に格納された動作プログラムに従って動作することにより実行される。
【００４７】
ステップＳ０１で、２画面表示（分割表示）要求を受け付けたかどうかを判断し、受け付けた場合は（ステップＳ０１でＹＥＳ）、ステップＳ０２に進み、２画面表示処理を行う。２画面に別のファイルを表示させる要求（２ファイル表示要求）の場合は、各ファイルを開いて（オープン処理）、２画面に表示させる。
【００４８】
次いでステップＳ０３で、マルチタッチパネル（以下、パネルとも記す）１０６の同一箇所をユーザーが押し続けているか否かを判断する。押し続けている場合は（ステップＳ０３でＹＥＳ）、ステップＳ０４で、マルチタッチパネル１０６の押箇所つまり接触位置が第１の領域３０１または第２の領域３０２のいずれに存在するかを判定し、ステップＳ０５で判定結果に基づいて、マルチタッチパネル１０６の押箇所の存在する領域を固定表示領域に設定し、スクロール操作の受付を禁止する。
【００４９】
次いでステップＳ０６では、接触位置におけるマルチタッチパネル１０６の押圧（圧力）を圧力センサー１０７で検出し、平均値を算出する。平均値の算出は、圧力センサ−１０７による圧力値を定期的にサンプリングして圧力値を取得し、取得した圧力値の数が一定個数に達したときの平均値を求めることにより行っても良いし、一定時間内に得られたサンプリング値を平均して行っても良い。このように、第１の接触位置においてマルチタッチパネル１０６に加えられ圧力センサー１０７で検知された圧力が、予め設定された閾値を超えたかどうかは、圧力の平均値に基づいて判定されるから、精度の高い判定を行うことができる。
【００５０】
次いでステップＳ０７では、求めたマルチタッチパネル１０６の圧力の平均値が閾値を超えているかどうかを判定し、超えていれば（ステップＳ０７でＹＥＳ）、ステップＳ０８で、表示固定領域（この例では第１の表示領域）の表示を、例えばスクロール等のように移動変更したのち、ステップＳ０７に戻る。
【００５１】
ステップＳ０７において、マルチタッチパネル１０６の圧力の平均値が閾値を超えていなければ（ステップＳ０７でＮＯ）、ステップＳ０９で、マルチタッチパネル１０６の押圧が終了したかどうか、換言すればユーザーが指をパネル１０６から離したかどうかを判断する。マルチタッチパネル１０６の押圧が終了していなければ（ステップＳ０９でＮＯ）、ステップＳ０７に戻る。マルチタッチパネル１０６の押圧が終了していれば（ステップＳ０９でＹＥＳ）、ステップＳ１０に進む。
【００５２】
ステップＳ１０では、固定領域の終了処理を行いスクロール受付の禁止を解除したのち、ステップＳ１２に進む。ステップＳ０３において、マルチタッチパネル１０６の同一箇所をユーザーが押し続けていない場合も（ステップＳ０３でＮＯ）、ステップＳ１２に進む。
【００５３】
ステップＳ１２では、２画面の表示終了を受け付けたかどうかを判断し、受け付けていれば（ステップＳ１２でＹＥＳ）、ステップＳ１３で、２画面表示終了処理（１画面表示への切り替え処理）を実施した後、ステップＳ１４に進む。ステップＳ１２において、２画面の表示終了を受け付けていない場合も（ステップＳ１２でＮＯ）、ステップＳ１４に進む。ステップＳ０１において、２画面表示処理を受け付けていない場合も（ステップＳ０１でＮＯ）、ステップＳ１１で１画面での表示処理を実施した後、ステップＳ１４に進む。
【００５４】
ステップＳ１４では、画面の表示終了処理を受け付けたかどうかを判断し、終了処理を受け付けていない場合（ステップＳ１４でＮＯ）、ステップＳ０１に戻る。終了処理を受け付けると（ステップＳ１４でＹＥＳ）、ステップＳ１５で、画面表示の終了処理を実施する。画面表示の終了処理は、例えば情報処理装置１の電源オフの要求を受け付けた場合等に行われる。
【００５５】
図４は、この発明の他の実施形態に係る表示制御処理を説明するための図である。図３に示した実施形態では、第１の領域３０１（固定領域）の接触位置Ｍ１において、マルチタッチパネル１０７を所定の閾値を超えて加圧することにより、第１の領域３０１の表示を変更させる構成とした。しかし、加圧力が大きすぎたりあるいは長く押したために、第１の領域３０１の表示がユーザーが希望するページ、例えば５頁を通り過ぎて図４（Ａ）に示すように１０頁まで移動変更する場合が起こりうる。
【００５６】
そこで、この実施形態では、第１の領域３０１の表示を逆方向に送って、例えば５頁を表示できるようになっている。具体的には図４（Ｂ）に示すように、ユーザーが第１の領域３０１における第１の接触位置Ｍ１でのマルチタッチパネル１０６との接触を保持したまま、第１の領域３０１内の現在の接触位置（第１の接触位置）Ｍ１とは異なる第２の接触位置Ｍ２において、指等をマルチタッチパネル１０６に接触させる。
【００５７】
マルチタッチパネル１０６が第１の領域３０１内において２個目の接触を検出すると、制御部１００は第１の領域３０１の表示を第１頁に向かって移動変更させる。指を離して第２の接触位置Ｍ２での接触を解除すると、第１の領域３０１の表示の移動変更が停止される。従ってユーザーは、所望の頁である例えば５頁まで移動させて、第２の接触位置Ｍ２でマルチタッチパネル１０６に接触している指を離せば良い。
【００５８】
なお、第２の領域３０２は、図３の実施形態と同様にスクロール可能な領域に設定されている。
【００５９】
このように、この実施形態では、第１の接触位置Ｍ１においてマルチタッチパネル１０６に加えられた圧力が閾値を超えたと判定されることにより、第１の領域３０１の表示が変更された後、第１の領域３０１において第１の接触位置Ｍ１とは異なる第２の接触位置Ｍ２においてユーザーがマルチタッチパネル１０６に接触すると、第１の領域３０１の変更後の表示が変更方向とは逆方向に変更されるから、第１の領域３０１においてスクロール操作しなくても、変更前あるいは変更途中の画像に戻すことができ、極めて便利である。
【００６０】
図５は、この発明のさらに他の実施形態を示すものである。この実施形態では、情報処理装置１は図示しない画像形成装置と印刷連携するためのアプリケーションプログラムを搭載されており、画像形成装置に対してし、印刷対象文書と印刷設定を送信し、印刷の実行を指示することができるようになっている。そして、情報処理装置１において印刷プレビューモードを設定すると共に、印刷プレビューモードにおいて第１の領域３０１と第２の領域３０２に各ページの印刷プレビュー画像が表示されている状態で、例えばステープル処理やパンチ処理等の後加工処理をその位置を指定したのち、印刷プレビュー画面を例えば横方向にフリック操作することにより、第１及び第２の各領域３０１、３０２に表示された合計２ページの画像が１組としての印刷と、指定された位置での後加工処理を設定可能な構成となっている。
【００６１】
即ち、情報処理装置１を印刷プレビューモードとし、この状態で、図５（Ａ）に示すように表示部１０５に２画面表示を行い、ユーザーが画面左部の第１の領域３０１内の第１の接触位置Ｍ１において指を接触させると、第１の領域３０１は表示が固定された固定領域に設定され、画面右部の第２の領域３０２はスクロール可能な領域に設定される。この状態で、第１の領域３０１の接触位置において加圧して表示を進み方向に変更したり、あるいは第２の接触位置に指等を接触させて表示を戻し方向に戻すことにより、第１の領域３０１に所期するページを表示させ、また第２の領域３０２の表示をスクロールして、第２の領域３０２に所期するページを表示させる。
【００６２】
図５（Ａ）の状態では、第１の領域３０１では文書Ａの第５頁が、第２の領域３０２には文書Ｂの第３頁が、それぞれ表示されている。
【００６３】
この状態で、ユーザーが第１の領域３０１における第１の接触位置Ｍ１での接触を保持したまま、ユーザーが図５（Ａ）に破線四角で示すような、第１の領域３０１内の後加工処理が可能な位置Ｍ３を指等で接触すると、後から接触した位置Ｍ３が後加工処理の実施位置として設定される。そして、図５（Ｂ）の破線丸印で囲んだように、設定された後加工処理の実施位置に後加工処理を示すマーク（図５（Ｂ）の例ではステープルのマーク）Ｍ４が表示される。なお、図５（Ｂ）では、第１の接触位置Ｍ１での接触も解除されて、第１、第２の領域３０１、３０２の画像を一括してスクロール可能となっており、接触が解除された後もマークＭ４はそのまま表示されている。
【００６４】
第１の領域３０１における後加工処理が可能な位置は、画像形成装置の後加工処理の仕様に応じて予め決定されている。
【００６５】
この状態で、前述したように、印刷プレビュー画面を例えば横方向にスクロールすることにより、第１及び第２の各領域３０１、３０２に表示された合計２ページの画像が１組として印刷される印刷設定が行われると共に、ステープル処理やパンチ処理等の後加工処理がその位置を指定されて設定される。この際に、印刷部数の設定画面を表示できるようにして、印刷部数を合わせて設定しても良い。
【００６６】
図５（Ｃ）はユーザーが第１、第２の領域３０１、３０２の画像を一括してスクロールし、図５（Ｂ）で示す表示ページとは異なるページを第１及び第２の領域３０１、３０２にそれぞれ表示している状態を示している。図５（Ｃ）に示されたページについては、後加工処理の設定がなされていないので、後加工処理の位置を示すマークＭ４は表示されていない。
【００６７】
なお、印刷設定されたページと後加工処理の位置の指定等を含む印刷設定情報は、画像形成装置に送信され、画像形成装置により印刷が行われる。
【００６８】
このように、ユーザーは、第１の領域３０１を第１の接触位置Ｍ１において接触した状態で、第１の領域３０１における後加工処理を可能な位置を指等で接触することにより、後からの接触位置Ｍ３に対して後加工処理を実施する印刷設定を行うことができるとともに、後加工処理を行う印刷設定がなされた場合、該当するページの後加工処理位置に、後加工処理が実施されることを示すマークＭ４が表示されるから、ユーザーはマークのＭ４位置に後加工処理が実施されることを認識することができる。
【００６９】
以上、本発明の一実施形態を説明したが、本発明は上記実施形態に限定されることはない。例えば情報処理装置が携帯型の情報端末装置である場合を示したが、コピー機能、プリンタ機能、スキャン機能、ファクシミリ機能等の機能を有するＭＦＰ（Multi Function Peripheral）と称される多機能デジタル複合機を代表とする画像形成装置や、パーソナルコンピュータ等であっても良い。
【００７０】
また、表示部１０５の画面を２分割した場合を示したが、３分割以上に分割表示しても良い。この場合は、第１の領域に指等を接触させると、第１の領域以外の複数の領域が一括してスクロール可能な領域となる。
【符号の説明】
【００７１】
１      情報処理装置
１００  制御部
１０１  ＣＰＵ
１０４  固定記憶装置
１０５  表示部
１０６  マルチタッチパネル
１０７  圧力センサー
Ｍ１    第１の接触位置
Ｍ２    第２の接触位置
Ｍ３    後加工処理位置
Ｍ４    後加工処理位置を示すマーク
【図１】
2018206119.tif 000003
【図２】
2018206119.tif 000004
【図３】
2018206119.tif 000005
【図４】
2018206119.tif 000006
【図５】
2018206119.tif 000007